(57)【特許請求の範囲】
【請求項１】
熱分解炉から排出される排出物に含まれる大型の異物を捕捉するための装置であって、
入口及び当該入口よりも低い出口を有し、前記入口から前記出口に向かって前記排出物が重力により降下しながら通過するのを許容する通過許容空間を囲むケーシングと、
前記通過許容空間を鉛直方向に対して交差する方向に横切り、かつ、鉛直方向から見て前記通過許容空間を３以上の領域に分割する複数の捕捉部材であって、当該通過許容空間を通過する排出物中の異物を捕捉してそれ以外の排出物の通過のみを許容する複数の捕捉部材と、
前記複数の捕捉部材を横切るように延びかつ前記ケーシングに固定される両端を有する捕捉部材支持部と、
前記捕捉部材支持部上の任意の位置で当該捕捉部材支持部に前記各捕捉部材を固定する複数の固定具と、
を備える、異物捕捉装置。
【請求項２】
請求項１に記載の異物捕捉装置であって、前記複数の捕捉部材は、水平方向に対して傾斜する方向に前記通過許容空間を横切る少なくとも一つの傾斜捕捉部材を含む、異物捕捉装置。
【請求項３】
請求項２記載の異物捕捉装置であって、前記少なくとも一つの傾斜捕捉部材は前記通過許容空間を水平方向に対して４５°以上傾いた角度で横切る、異物捕捉装置。
【請求項４】
請求項２または３記載の異物捕捉装置であって、前記少なくとも一つの傾斜捕捉部材は、それぞれの上端が単一の傾斜面に沿って並ぶように互いに同じ方向に前記通過許容空間を横切る複数の傾斜捕捉部材を含む、異物捕捉装置。
【請求項５】
請求項２〜４のいずれかに記載の異物捕捉装置であって、前記ケーシングは、前記捕捉部材が低い側の領域にたまった異物を当該ケーシングの外部に搬出するための搬出口を有する、異物捕捉装置。
【請求項６】
請求項１〜５のいずれかに記載の異物捕捉装置であって、前記捕捉部材により捕捉された異物の当該捕捉部材上での堆積状態についての情報を検出して外部に提供する堆積情報提供部をさらに備える、異物捕捉装置。
【請求項７】
熱分解炉と、
前記熱分解炉から排出された不燃物を含む排出物を処理する排出物処理装置と、
請求項１〜６のいずれかに記載の異物捕捉装置と、を備え、当該異物捕捉装置は前記熱分解炉と前記排出物処理装置との間に設けられる、廃棄物処理システム。
【請求項８】
請求項７記載の廃棄物処理システムであって、前記熱分解炉と前記排出物処理装置との間に設けられて前記排出物を搬送する搬送装置であって、周回体と、この周回体の上に前記排出物が載せられた状態で当該周回体を周回方向に動かすことにより前記排出物を搬送する周回駆動部と、を含む搬送装置をさらに備え、前記異物捕捉装置は、そのケーシングの前記出口が前記周回体の上流側端部の上面のすぐ上方に位置するように配置される、廃棄物処理システム。
【発明の詳細な説明】
【技術分野】
【０００１】
本発明は、流動層ガス化炉等を備えた廃棄物処理システムに設けられる異物捕捉装置に関する。
【背景技術】
【０００２】
廃棄物を処理するためのシステムは、流動層ガス化炉やストーカ式炉等の熱分解炉に加え、当該熱分解炉から排出される熱分解残渣を処理する残渣処理部を備える。
【０００３】
例えば特許文献１は、図１０に示すような廃棄物処理システムを開示する。このシステムは、例えば焼却炉からなる熱分解炉２００と、当該熱分解炉２００から排出される焼却残渣２０１を選別するための磁選機２０２と、前記焼却残渣２０１を前記熱分解炉２００から前記磁選機２０２まで搬送する搬送装置２０４と、を備える。前記磁選機２０２は、搬入される焼却残渣２０１に磁力を作用させることにより、当該焼却残渣２０１に含まれる鉄缶類等のリサイクル可能な金属を捕獲する。
【先行技術文献】
【特許文献】
【０００４】
【特許文献１】特開２００３−１２０９２１号公報
【発明の概要】
【発明が解決しようとする課題】
【０００５】
前記のように熱分解炉から残渣が排出されるシステムにおいては、その排出物中に多くの不燃物等が含まれ、かつ、その中には、缶類等の小さな不燃物に比べて最大寸法の大きいもの（例えば大きな体積をもつ異物や長尺の異物；以下「大型異物」と総称する。）が含まれている。このような大型異物がそのまま下段の設備に搬入されると、当該設備において詰まりを起こし、その正常な作動を妨げるおそれがある。例えば、前記大型異物は、図１０に示されるような周回式の搬送装置（例えばバケットコンベアやベルトコンベア）２０４での搬送中に当該搬送装置２０４内で詰まるおそれがあり、また当該搬送装置２０４を通過できたとしてもさらに後段の磁選機２０２内で詰まりを起こして磁選機２０２を停止させるおそれがある。
【０００６】
このように所定の設備内で詰まった大型異物は、当該設備を構成するケーシング等の外殻を取り外して当該設備内から取り出される必要があるが、その作業は容易でない。仮にその取出しができたとしても、当該取出しには長い時間を要し、その間は排出物の処理を行うことができない。このことは、処理効率の著しい低下を招く。
【０００７】
本発明は、熱分解炉から排出される排出物に含まれる大型異物の詰まりに起因する設備のトラブルを有効に抑止することを可能にする技術の提供を目的とする。
【課題を解決するための手段】
【０００８】
本発明により提供されるのは、熱分解炉から排出される排出物に含まれる大型の異物を捕捉するための装置であって、入口及び当該入口よりも低い出口を有し、前記入口から前記出口に向かって前記排出物が重力により降下しながら通過するのを許容する通過許容空間を囲むケーシングと、前記通過許容空間を鉛直方向に対して交差する方向に横切り、当該通過許容空間を通過する排出物中の異物を捕捉してそれ以外の排出物の通過のみを許容する少なくとも一つの捕捉部材と、を備える。
【０００９】
この異物捕捉装置によれば、重力による排出物の通過許容空間内の降下を利用することにより、当該通過許容空間を横切る捕捉部材を備えるという簡素な構造で、前記排出物に含まれる大型の異物を捕捉することができ、かつ、それ以外の排出物（例えば砂や小石、缶等の小型不燃物）の通過を許容することができる。従って、前記ケーシングの出口からは前記排出物のうち前記捕捉部材により捕捉された異物を除くもののみが排出され、後段の設備に移送されるため、当該後段の設備での前記大型異物の詰まりに起因するトラブルが有効に抑止される。
【００１０】
前記少なくとも一つの捕捉部材は鉛直方向から見て前記通過許容空間を３以上の領域に分割する複数の捕捉部材を含む。これにより、前記通過許容空間を大きくして処理量を増やしながら大型異物の確実な捕捉を行うことが可能になる。また、当該捕捉部材の個数や捕捉部材同士の間隔の設定によって、捕捉される異物の大きさを決めることが可能である。
【００１１】
そして、当該異物捕捉装置は、前記複数の捕捉部材を横切るように延びかつ前記ケーシングに固定される両端を有する捕捉部材支持部と、当該捕捉部材支持部上の任意の位置で当該捕捉部材支持部に前記各捕捉部材を固定する複数の固定具と、をさらに備える。当該捕捉部材支持部及び複数の固定具の組み合わせは、前記複数の捕捉部材の総数等に応じて前記各捕捉部材の位置を前記捕捉部材支持部に沿って容易に調節することを可能にする。
【００１２】
前記少なくとも一つの捕捉部材は、水平方向に対して傾斜する方向に前記通過許容空間を横切る少なくとも一つの傾斜捕捉部材を含むことが、好ましい。当該傾斜捕捉部材の傾斜は、当該捕捉部材によって捕捉された異物を当該捕捉部材の傾斜に沿って当該捕捉部材が低い側の位置に案内することを可能にし、これにより、当該捕捉された異物の回収を容易にする。
【００１３】
その案内を確実にする観点からは、前記少なくとも一つの傾斜捕捉部材が水平方向に対して４５°以上の角度で傾いた方向に前記通過許容空間を横切ることが、好ましい。
【００１４】
前記少なくとも一つの傾斜捕捉部材は、複数の傾斜捕捉部材を含んでもよい。この場合、当該複数の傾斜捕捉部材は、当該複数の傾斜捕捉部材の上端が単一の傾斜面に沿って並ぶように互いに同じ方向に前記通過許容空間を横切ることが好ましい。このことは、当該複数の傾斜捕捉部材により捕捉される異物の案内をより円滑にする。
【００１５】
前記ケーシングは、前記捕捉部材が低い側の領域にたまった異物を当該ケーシングの外部に搬出するための搬出口を有することが、より好ましい。これにより、捕捉された異物の回収がより容易になる。
【００１６】
前記少なくとも一つの捕捉部材は、鉛直方向からみて互いに交差する方向に前記通過許容空間を横切る第１の捕捉部材及び第２の捕捉部材を含んでもよい。特に、当該第１の捕捉部材及び当該第２の捕捉部材が互いに直交する方向に前記通過許容空間を横切る場合には、当該排出物空間内に複数の網目を形成することが可能であり、これにより目標とする大きさの異物をより確実に捕捉することが可能になる。
【００１７】
前記異物捕捉装置は、前記捕捉部材により捕捉された異物の当該捕捉部材上での堆積状態についての情報を検出して外部に提供する堆積情報提供部をさらに備えることが、好ましい。当該堆積情報提供部は、作業者がケーシング内を視認することなく捕捉された異物の堆積状態を知ることを可能にし、これにより、異物の過度の堆積を防ぐことができる。また、当該異物を取り出すタイミングを知ることができる。当該堆積情報提供部は、前記捕捉部材上の映像を撮影する監視カメラであってもよいし、前記捕捉部材上において所定の高さレベルまで異物が堆積したことを検出するレベルセンサと当該レベルセンサの検出結果を報知する報知部との組み合わせであってもよい。
【００１８】
また本発明は、熱分解炉と、当該熱分解炉から排出された不燃物を含む排出物を処理する排出物処理装置と、前記の異物処理装置であって前記熱分解炉と前記排出物処理装置との間に設けられるものと、を備える廃棄物処理システムを提供する。
【００１９】
この廃棄物処理システムは、前記熱分解炉と前記排出物処理装置との間に設けられて前記排出物を搬送する搬送装置であって、周回体と、この周回体の上に前記排出物が載せられた状態で当該周回体を周回方向に動かすことにより前記排出物を搬送する周回駆動部と、を含む搬送装置をさらに備えることも可能である。この場合、前記異物捕捉装置は、そのケーシングの前記出口が前記周回体の上流側端部の上面のすぐ上方に位置するように配置されることにより、当該搬送装置に対して前記排出物を導入するシュートとして機能しながら、当該搬送装置での前記異物の詰まりも有効に抑止することが可能である。
【発明の効果】
【００２０】
以上のように、本発明によれば、廃棄物処理システムにおいて、熱分解炉から排出される排出物に含まれる大型異物の詰まりに起因する設備のトラブルを有効に抑止することが可能な異物捕捉装置、及びこれを備えた廃棄物処理システム、が提供される。
【図面の簡単な説明】
【００２１】
【図１】本発明の実施の形態に係る廃棄物処理システムの全体図である。
【図２】本発明の第１の実施の形態に係る異物捕捉装置とその下方に配置される搬送装置とを示す正面図である。
【図３】前記異物捕捉装置の正面図である。
【図４】前記異物捕捉装置の側面図である。
【図５】前記異物捕捉装置の要部を示す断面正面図である。
【図６】前記異物捕捉装置の要部を示す一部断面側面図である。
【図７】前記異物捕捉装置の一部を図３の矢印ＶＩＩに沿って見た平面図である。
【図８】本発明の第２の実施の形態に係る異物捕捉装置の要部を示す断面平面図である。
【図９】本発明の第２の実施の形態に係る異物捕捉装置の要部を示す断面正面図である。
【図１０】従来の廃棄物処理システムの全体図である。
【発明を実施するための形態】
【００２２】
以下、本発明の好ましい実施の形態について、図１〜図９を参照しつつ説明する。
【００２３】
図１は、本発明の実施の形態に係る廃棄物処理システムを示す。この廃棄物処理システムは、熱分解処理部１００と、第１搬送装置１１０と、第２搬送装置１２０と、磁選機１３０と、異物捕捉装置１４０と、を含む。
【００２４】
前記熱分解処理部１００は、処理対象である廃棄物（ゴミ等）を熱分解処理、例えば焼却処理、するセクションであり、廃棄物投入装置１０２と、熱分解炉１０４と、砂分級装置１０６と、砂循環エベレータ１０８と、を含む。
【００２５】
前記廃棄物投入装置１０２は、処理対象である廃棄物（ゴミ等）を一時的に収容するとともに当該廃棄物を適当な速度で切出して前記熱分解炉１０４内に投入する。
【００２６】
前記熱分解炉１０４は、投入された廃棄物を熱分解処理し、これにより生成された熱分解ガスを塔頂から排出する一方、熱分解されない不燃物を炉底から排出される。図１に示されている熱分解炉１０４は、流動媒体により構成される流動床１０３を下部に有する流動層ガス化炉であり、前記不燃物を前記流動媒体である砂とともに炉底から排出する。熱分解炉１０４は流動層ガス化炉に限定されず、例えばストーカ式炉やその他の形式の炉であってもよい。
【００２７】
前記砂分級装置１０６は、前記流動層ガス化炉１０４から排出される砂と不燃物との混合物から砂を分離して残りの排出物である不燃物を取り出す。前記砂循環エベレータ１０８は、前記砂分級装置１０６によって前記不燃物から分離された砂を上昇させて前記流動層ガス化炉１０４内の前記流動層１０３に戻す。
【００２８】
前記磁選機１３０は、本発明に係る排出物処理装置に相当するもので、前記熱分解処理部１００から排出される排出物、図１に示される形態では前記熱分解炉１０４の炉底から排出されかつ前記砂分級装置１０６によって前記砂から分離された不燃物、を受け入れ、これに磁力を作用させることによって当該不燃物を鉄缶類等のリサイクル可能な金属とそれ以外の不燃物とに分離する。前者の金属は金属圧縮機１５０で圧縮処理された後に資源化物貯留ヤードに搬入され、後者の不燃物は不燃物破砕機１６０によって破砕処理される。
【００２９】
前記第１搬送装置１１０及び前記第２搬送装置１２０は、前記熱分解処理部１００の砂分級装置１０６と前記磁選機１３０との間に介在し、前記砂分級装置１０６から排出される不燃物を前記磁選機１３０まで搬送する。前記異物捕捉装置１４０は、前記第１搬送装置１１０と前記第２搬送装置１２０との間に介在し、前記第１搬送装置１１０により搬送される不燃物のうち大型の不燃物を異物として捕捉して残りの不燃物（主として小型の不燃物）が第２搬送装置１２０により磁選機１３０に搬入されるのを許容する。具体的に、前記第１搬送装置１１０は、前記砂分級装置１０６の直下流に配置され、砂分級装置１０６から排出された不燃物を前記異物捕捉装置１４０に投入する。前記第２搬送装置１２０は、前記異物捕捉装置１４０から排出される不燃物を受け取って前記磁選機１３０まで搬送する。
【００３０】
ここでいう「大型の不燃物」は、最大寸法の大きい不燃物であって、大きな体積を有するもの（例えば直方体状の家電機器）や、特定方向の寸法が著しく大きいもの（例えば長尺の棒状体やケーブル等の索状体）が含まれる。ただし、前記異物捕捉装置１４０は、所定寸法よりも大きな最大寸法をもつ大型の不燃物を一つ残らず捕捉する機能をもつものに限定されない。当該異物捕捉装置１４０は、そのような大型の不燃物を異物としてある程度の確率で捕捉する能力を有していれば、前記第２搬送装置１２０や前記磁選機１３０での当該大型の不燃物の詰まりによるトラブルが生じる可能性を十分に低減させることが可能である。
【００３１】
前記第２搬送装置１２０は、この実施の形態では、図２に示すようなコンベア（例えばバケットコンベア）によって構成される。具体的に、前記第２搬送装置１２０は、一対の回転体１２２（図２では一方の回転体１２２のみが示される。）と、無端状の周回体１２４と、周回駆動部である搬送モータ１２６と、ケーシング１２８と、を含む。前記周回体１２４は、例えばバケットコンベアでは複数のバケットとこれらのバケットを周回方向につなぐチェーン等の連結部材とにより構成され、ベルトコンベアでは搬送ベルトにより構成される。当該ケーシング１２８内において、前記一対の回転体１２２は互いに水平方向に離間するように配置され、前記周回体１２４は、前記回転体１２２同士の間に掛渡される。前記搬送モータ１２６は、前記一対の回転体１２２のうちの一方の回転体１２２に連結され、当該回転体１２２を回転させることにより前記周回体１２４を周回方向に動かし、これにより、当該周回体１２４上に載せられた不燃物を前記磁選機１３０まで水平方向に搬送する。
【００３２】
前記異物捕捉装置１４０は、前記周回体１２４の上流側端部（図２に示される端部）の直上の位置に配置され、前記第１搬送装置１１０により搬送される不燃物のうちの大型の不燃物を捕捉すると同時に、残りの不燃物すなわち比較的小型の不燃物を前記周回体１２４上に投入するシュートとしても機能する。当該異物捕捉装置１４０による大型の不燃物の捕捉は、当該大型の不燃物が第２搬送装置１２０のケーシング１２８内や前記磁選機１１０内で詰まることを有効に抑止し、これにより当該第２搬送装置１２０や当該磁選機１１０の正常な動作の継続を促す。
【００３３】
次に、前記異物捕捉装置１４０の詳細について、図３〜図７を併せて参照しながら説明する。
【００３４】
前記異物捕捉装置１４０は、ケーシング１２と、複数の捕捉部材１４と、上下一対の捕捉部材支持軸１６と、各捕捉部材１４について与えられる複数の固定具１８と、を備える。
【００３５】
前記ケーシング１２は、不燃物の入口２０を囲む上端と、出口２１を囲む下端と、を有するとともに、前記入口から前記出口に向かって前記排出物が重力により降下しながら通過する空間を囲む形状を有する。具体的に、当該ケーシング１２は、前記入口２０を含む不燃物受入れ部２２と、前記出口２１を含む異物捕捉部２４と、を有する。
【００３６】
前記不燃物受入れ部２２は、前記入口２０を通じて前記第１搬送装置１１０から搬入される不燃物を受け入れるとともに、当該不燃物が鉛直方向に落下するのを許容する落下空間２６を囲む部分である。詳しくは、前記不燃物受入れ部２２は、互いに第１水平方向に対向する一対の側壁３１，３２と、前記第１水平方向と直交する第２水平方向に互いに対向する一対の側壁３３，３４と、を有し、当該側壁３１〜３４が前記落下空間２６を囲む上下方向の角筒状をなすとともに、当該側壁３１〜３４の上端が前記入口２０を囲む。この不燃物受入れ部２２は、適宜省略可能である。
【００３７】
前記異物捕捉部２４は、前記排出物（不燃物）の通過を許容してそのうちの異物を捕捉するための空間である通過許容空間２７及びその捕捉された異物の一時的な収容のための収容空間２８を囲む部分である。当該異物捕捉部２４は、前記不燃物受入れ部２２の下端に連通し、かつ、当該不燃物受入れ部２２の特定の側壁（図３では側壁３２）の下端から特定の水平方向（前記第１水平方向であって図３の左方向）に外向きに膨出する形状を有する。
【００３８】
具体的に、この実施の形態に係る異物捕捉部２４は、中間立直壁３６と、第１下側傾斜壁３７と、第１下端壁３８と、上側傾斜壁３９と、中間天壁４０と、下側第２傾斜壁４１と、第２下端壁４２と、一対の側壁４３，４４と、端壁４５と、を有する。
【００３９】
前記中間立直壁３６は、前記側壁３１から連続して鉛直方向の下方に延びる。前記第１下側傾斜壁３７は、前記第１立直壁３６の下端から連続して前記特定の水平方向に傾斜する（図３では左下がりに傾斜する）ように斜め向きに延びる。前記第１下端壁３８は、前記下側傾斜壁３７から連続して鉛直方向の下向きに延びる。
【００４０】
前記上側傾斜壁３９は、前記側壁３２の下端から連続して前記特定の水平方向に傾斜するように（図３では左下がりに傾斜して前記下側立直壁３７と略平行となるように）斜め向きに延びる。前記中間天壁４０は、前記上側傾斜壁３９の下端から連続して前記特定の水平方向（図３では左方向）に延びる。前記第２傾斜壁４１は、前記中間天壁４０から下方に離間した位置で前記特定の水平方向と反対の水平方向に傾斜する（図３では右下がりに傾斜する）。前記第２下端壁４２は、前記第２傾斜壁４１の下端から鉛直方向の下向きに延びる。
【００４１】
前記一対の側壁４３，４４は、それぞれ、前記側壁３３，３４の下端から鉛直方向の下向きに延びるとともに、前記中間立直壁３６、前記下側傾斜壁３７、前記第１下端壁３８、前記中間天壁４０、前記第２傾斜壁４１、及び前記第２下端壁４２の縁にそれぞれに接合されることが可能な形状の外縁を有する。前記第１及び第２下端壁３８，４２及び前記両側壁４３，４４の下端は、前記入口２０から前記特定の水平方向にオフセットした位置で前記出口２１を囲む。当該出口２１の位置は、必ずしも入口２０とオフセットされていなくてもよく、当該入口２０の直下にあってもよい。前記端壁４５は、前記中間天壁４０、前記第２下側傾斜壁４１、及び前記一対の側壁４３，４４の縁によって囲まれる開口（図３では左向きの開口）を塞ぐように当該縁にそれぞれ接合される。
【００４２】
前記ケーシング１２は、前記出口２１が図２に示される第２搬送装置１２０の周回体１２４の上面に対して適当な距離をおいてその直上方に位置するように、当該第２搬送装置１２０のケーシング１２８に接続される。このようなケーシング１２の配置は、当該ケーシング１２を含む異物捕捉装置１４０が当該第２搬送装置１２０に対して不燃物を投入するシュートとしても機能することを可能にする。
【００４３】
前記複数の捕捉部材１４は、前記通過許容空間であって前記異物捕捉部２４により囲まれる空間を横切り、当該通過許容空間を通過する排出物である不燃物に含まれる異物（大型の不燃物）を捕捉してそれ以外の排出物（主に小型の不燃物）の通過を許容する。
【００４４】
図３〜図６に示される例では、前記異物捕捉部２４に２本の捕捉部材１４が前記特定の水平方向と直交する水平方向（図３の奥行方向、図４の左右方向；以下「装置幅方向」と称する。）に互いに平行に並ぶように配置され、これにより、鉛直方向から見て前記異物捕捉部２４内の空間を装置幅方向に並ぶ３つの領域に分割する。当該捕捉部材１４の本数は、後述のように適宜増減可能であり、これにより、捕捉される異物の大きさをコントロールすることが可能である。
【００４５】
この実施の形態に係る各捕捉部材１４は、前記異物捕捉部２４内の空間を水平方向に対して傾斜する方向（この実施の形態では前記各傾斜壁３７，３９，４１と略平行な方向）に横切る傾斜捕捉部材である。当該捕捉部材１４の傾斜は、当該捕捉部材１４によって捕捉された異物である被捕捉異物４６（図５）を当該捕捉部材１４の傾斜に沿って当該捕捉部材１４が低い側の位置に案内する（つまり前記特定の水平方向にスライドさせるように案内する）ことを可能にし、これにより、当該被捕捉異物４６の回収を容易にする。この案内は、図３及び図５に示されるように、前記各捕捉部材１４の方向が水平方向に対して４５°以上の角度で傾斜することにより、さらに促進される。
【００４６】
前記各捕捉部材１４の傾斜角度は、互いに異なっていてもよいが、当該捕捉部材１４の上端が単一の傾斜面（図３及び図５では左下がりの平面）に沿って並ぶように互いに同一の方向に前記異物捕捉部１４内の空間を横切ることが好ましい。このことは、各捕捉部材１４の上に捕捉された被捕捉異物４６の当該捕捉部材１４の上面に沿った案内をより円滑にする。
【００４７】
前記一対の捕捉部材支持軸１６は、前記各捕捉部材１４の上端部及び下端部をそれぞれ横切る（この実施の形態では貫通する）状態で当該上端部及び当該下端部を支持するように、前記ケーシング１２に固定される。前記複数の固定具１８は、前記捕捉部材支持軸１６上の任意の位置で当該捕捉部材支持軸１６に前記各捕捉部材１４の上端部及び下端部をそれぞれ固定する機能を有する。具体的に、この実施の形態に係る各捕捉部材支持軸１６は、その外周面上に雄ねじが刻まれたねじ軸により構成され、前記各固定具１８は、前記捕捉部材１４の上端部または下端部を前記捕捉部材支持軸１６の軸方向に挟むように当該捕捉部材支持軸１６に螺着される一対のナット４８により構成される。また、前記捕捉部材支持軸１６の両端部は前記側壁４３，４４を貫通し、当該両端部に螺着されるナット５０を用いて当該側壁４３，４４に固定される。
【００４８】
前記ケーシング１２の複数の箇所、具体的には前記側壁３３，４３及び中間天壁４０には、ケーシング１２内の点検のための点検口５４，５５，５６が形成されるとともに、当該点検口５４，５５，５６をそれぞれ開閉するための扉５７，５８，５９が設けられる。同様に、前記端壁４５には、捕捉された異物をケーシング１２の外部に搬出するための搬出口６１が形成されるとともに、当該搬出口６１を開閉するための扉６２が設けられる。
【００４９】
さらに、この異物捕捉装置１４０は、捕捉された異物の前記捕捉部材１４上での堆積状態についての情報を検出して外部に提供する堆積情報提供部をさらに備える。この実施の形態に係る堆積情報提供部は、図７に示すような監視カメラ６４と、図３及び図５に示されるレベルセンサ６６と、を含む。前記監視カメラ６４は、前記中間天壁４０に設けられ、その下方の収容空間２８内において捕捉部材１４上に堆積する前記被捕捉異物４６（図５）の映像を撮影する。前記レベルセンサ６６は、前記異物捕捉部２４内の所定の高さ位置に設けられ、当該レベルセンサ６６の高さ位置まで前記異物４６が堆積した時点で警告信号を出力し、図略の報知部（例えばランプやブザー）を作動させてその検出結果を報知させる。当該レベルセンサ６６は、例えば、発光素子及び受光素子からなる光電式のセンサ、マイクロ波式のセンサ、あるいはリミットスイッチによって構成されることが可能である。
【００５０】
この異物捕捉装置１４０は、また、複数枚の保護板６７，７１，７２を備える。これらの保護板６７，７１，７２は、前記ケーシング１２の特定の内面を覆うように当該ケーシング１２にねじ７４によって着脱可能に取付けられ、当該内面に対して不燃物が直接衝突することにより当該内面を傷つけることを、阻止する。具体的に、前記保護板６７，７１，７２は、前記第１下側傾斜壁３７、前記第２下側傾斜壁４１及び前記第２下端壁４２の内面をそれぞれ覆うように前記ケーシング１２に取付けられる。また、保護板７２はその下部が前記第２下端壁４２の下端よりもさらに下方に突出するように前記ケーシング１２に取付けられる。
【００５１】
この異物捕捉装置１４０によれば、重力による排出物（不燃物）の通過許容空間２７内の降下を利用することにより、当該通過許容空間２７を横切る捕捉部材１４を備えるという簡素な構造で、前記不燃物に含まれる大型の異物を高い確率で捕捉することができ、かつ、それ以外の排出物（例えば砂や小石、缶等の小型不燃物）の通過を許容することができる。
【００５２】
具体的に、前記第１搬送装置１１０から前記入口２０を通じてケーシング１２内に投入される不燃物は、前記不燃物受入れ部２２内の落下空間２６を落下し、異物捕捉部２４内の通過許容空間２７に至る。この通過許容空間２７では当該通過許容空間２７を横切るように配置された捕捉部材１４が前記不燃物のうち大きな寸法をもつものを異物として捕捉し、それ以外の不燃物の通過すなわち落下を許容する（図３の矢印Ａ１）。
【００５３】
このように通過が許容された不燃物は、出口２１を通じて第２搬送装置１２０の周回体１２４上に投入され、当該第２搬送装置１２０によって後段の磁選機１３０まで搬送される。このように搬送される不燃物からは、前記捕捉部材１４により捕捉された異物であって大型の不燃物が除去されているので、このような大型の不燃物が前記第２搬送装置１２０のケーシング１２８内あるいは磁選機１３０内で詰まってトラブルを起こすことが防がれる。
【００５４】
一方、前記各捕捉部材１４は前記ケーシング１２内において収容空間２８に向かって傾斜しているので、当該捕捉部材１４に捕捉された異物である被捕捉異物４６は当該捕捉部材１４の上面に沿って滑り落ちるように斜め下向きに降下し（図３の矢印Ａ２）、これにより、前記収容空間２８に案内される。このようにして前記被捕捉異物４６はその自重を利用した構造によって前記収容空間２８内に集められる。従って、作業者は当該被捕捉異物４６を前記収容空間２８に面した搬出口６１を通じて容易にかつ効率よく回収することができる。回収された被捕捉異物４６は、例えば、図１に示される不燃物破砕機１６０によって破砕処理される。
【００５５】
さらに、この異物捕捉装置１４０では、堆積情報提供部が前記各捕捉部材１４上の前記被捕捉異物４６の堆積状態についての情報を使用者に提供することにより、当該被捕捉異物４６が好適なタイミングで回収されることを助ける。具体的に、前記監視カメラ６４は、前記収容空間２８内での前記捕捉部材１４上の映像を撮影して装置の外部に表示することにより、作業者が例えば点検口５６を開かなくても前記捕捉部材１４上での被捕捉異物４６の堆積状態を常時監視することを可能にし、これにより、適切なタイミングで前記被捕捉異物４６が回収されることを助ける。また、レベルセンサ６６は、被捕捉異物４６の高さが一定以上になった時点で報知部に報知動作を行わせることにより、前記捕捉部材１４上での被捕捉異物４６の過度の堆積を防ぐ。
【００５６】
また、この異物捕捉装置１４０では、複数の保護板６７，７１，７２がケーシング１２の内面を不燃物の衝突から有効に保護する。具体的に、保護板６７は、前記通過許容空間２７を高速で通過（落下）する小型不燃物が第１下側傾斜壁３７に直接衝突することを阻止し、保護板７１，７２は前記第１下側傾斜壁３７で跳ね返った不燃物が前記第２下側傾斜壁７１や前記第２下端壁７２に衝突することを阻止する。また、保護板７２の下部は、前記不燃物が前記出口２１の直下方の領域からさらに外側に逸脱するように飛散することも防ぐ。
【００５７】
また、前記第１下側傾斜壁３７は、前記通過許容空間２７を落下する不燃物と当該第１下側傾斜壁３７との（前記保護壁６７を介する）衝突によって当該不燃物の落下速度を抑え、これにより、当該不燃物の前記周回体１２４上への落下による衝撃を有効に緩和する。
【００５８】
図８及び図９は、本発明の第２の実施の形態に係る異物捕捉装置１７０の要部を示す。この異物捕捉装置１７０は、ケーシング８０と、複数の捕捉部材と、を備え、当該複数の捕捉部材は、２本の第１の捕捉部材９１，９２及び２本の第２の捕捉部材９３，９４と、を含む。
【００５９】
前記ケーシング８０は、第１の実施の形態に係るケーシング１２と同様、不燃物が落下するように通過することを許容する通過許容空間８６を囲む筒状をなす。具体的に、当該ケーシング８０は、第１の水平方向（図８では左右方向）に互いに対向する一対の側壁８１，８２と、前記第１の水平方向と直交する第２の水平方向（平面図である図８では上下方向）に互いに対向する一対の側壁８３，８４と、有し、これらの側壁８１〜８４が前記通過許容空間８６を囲む角筒状をなす。
【００６０】
前記第１及び第２の捕捉部材９１〜９４は、それぞれが一方向に延びる棒状をなし、互いに間隔をおいて前記通過許容空間８６を鉛直方向から見て縦横に横断するように配置される。具体的に、この第２の実施の形態では、前記第１の捕捉部材９１，９２が前記第２の水平方向（平面図である図８では上下方向）に互いに間隔をおいて平行に延びる姿勢で前記通過許容空間８６を前記第１の水平方向（図８では左右方向）に横切るとともに、当該第１の捕捉部材９１，９２の両端がそれぞれ前記側壁８１，８２に着脱可能に支持される。同様に、前記第２の捕捉部材９３，９４が前記第１の水平方向に互いに間隔をおいて平行に延びる姿勢で前記通過許容空間８６を前記第２の水平方向に横切るとともに、当該第２の捕捉部材９３，９４の両端がそれぞれ前記側壁８３，８４に着脱可能に支持されている。
【００６１】
従って、この実施の形態では、第１の捕捉部材９１，９２及び第２の捕捉部材９３，９４が水平面上で互いに直交するように配置されることにより、鉛直方向から見て前記通過許容空間８６を計９個の間隙（格子目）８８に分割する。各間隙８８の大きさは、前記通過許容空間８６を落下する不燃物のうち異物として捕捉すべき大型不燃物を捕捉してそれ以外の小型の不燃物が前記間隙８８を通過することを許容するように、設定される。各間隙８８の大きさは互いに同一でなくてもよい。図８に示される例では、第１の捕捉部材９１，９２同士の間隔及び第２の捕捉部材９３，９４同士の間隔の寸法βが各捕捉部材９１〜９４とこれに隣接する側壁８１〜８４との間隔の寸法αよりも大きく設定されている。
【００６２】
この第２の実施の形態のように第１の捕捉部材と第２の捕捉部材とが互いに交差するように配置される場合、当該交差の角度は図８に示すような９０°に限定されない。例えば、複数の捕捉部材が鉛直方向から見て互いに６０°の角度で交差する第１、第２及び第３の捕捉部材を含んでこれらの捕捉部材が正三角形状の目を形成するものでもよい。また、一部または全部の捕捉部材同士の間に高さ方向の段差が与えられてもよい。
【００６３】
前記第１の実施の形態では、各捕捉部材１４が捕捉部材支持軸１６を介してケーシング１２に支持されるのに対し、第２の実施の形態に係る捕捉部材９１〜９４はケーシング８０の側壁８１〜８４に直接的に支持される。この場合も、その支持のための構造は自由に設定されることが可能である。
【００６４】
図８及び図９に示す例では、前記各側壁８１〜８４に前記捕捉部材９１〜９４の両端部の挿通をそれぞれ許容する貫通穴８５が設けられるとともに、当該側壁８１〜８４の外側面上において前記貫通穴８５と合致する位置にそれぞれ筒状の捕捉部材支持部８９が固定されている。各捕捉部材支持部８９は、その内側に前記捕捉部材９１〜９４が挿通された状態で当該捕捉部材９１〜９４を着脱可能に支持する。
【００６５】
前記各捕捉部材９１〜９４は、それぞれの両端部が前記捕捉部材支持部８９からさらに両外側に突出することが可能なだけの長さを有する。各捕捉部材９１〜９４の両端部のうちの一方の端部には、当該捕捉部材９１〜９４の直径方向に延びる抜け止め部９５が固定され、他方の端部には、着脱可能に抜け止め部材９６が装着される。抜け止め部材９６は、例えば、前記捕捉部材９１〜９４（図９では捕捉部材９１のみ示される）において前記捕捉部材支持部８９よりも外側に突出する端部を直径方向に貫通するボルト９７と、当該ボルト９７の端部に螺着されるナット９８と、によって構成される。当該抜け止め部材９６の着脱は、前記側壁８１〜８４に対する前記各捕捉部材９１〜９４の着脱及びその装着時の固定を可能にする。
【００６６】
この第２の実施の形態に係る装置も、堆積情報提供部を備えることが可能である。例えば、前記ケーシング８０において前記捕捉部材９１〜９４よりも上側の箇所に、当該捕捉部材９１〜９４上での異物の堆積状態を撮影する監視カメラが据え付けられてもよい。あるいは、前記捕捉部材９１〜９４よりも所定寸法だけ上側の高さ位置に、当該高さ位置まで被捕捉異物が堆積したことを検知するレベルセンサが設けられてもよい。
【００６７】
また、この第２の実施の形態においても、前記ケーシング８０の適所に点検口や被捕捉異物の搬出のための搬出口が設けられてもよい。この第２の実施の形態に係る各捕捉部材９１〜９４は水平方向に延びていて被捕捉異物を特定方向に案内する機能を有しないため、前記搬出口が設けられるべき位置は特に限定されない。
【００６８】
本発明は、その他、例えば次のような形態も含む。
【００６９】
Ａ）ケーシングについて
本発明に係るケーシングの形状は、通過許容空間を形成することが可能な範囲で自由に設定されることが可能である。例えば、前記第１の実施の形態に係るケーシング１２の不燃物受入れ部２２が斜め下向きに延びる形状を有していてその底壁に沿って不燃物が滑り落ちるように当該不燃物を案内するものでもよい。この場合も、当該不燃物受入れ部２２の下流側で捕捉部材が大型の異物を捕捉してそれ以外の不燃物の通過（落下）を許容するように配置されることにより、前記と同様に異物の捕捉を行うことが可能である。
【００７０】
Ｂ）捕捉部材について
本発明に係る捕捉部材の個数や形状も自由に設定されることが可能である。例えば、本発明は、単一の捕捉部材が通過許容空間を２分割するだけの態様も含む。また、複数の捕捉部材を含む場合において、当該捕捉部材の水平方向に対する傾斜角度は統一されていなくてもよい。当該複数の捕捉部材は、水平な捕捉部材と傾斜捕捉部材との双方を含むもの、例えば、第１の実施の形態に係る一対の捕捉部材１４と直交する水平方向に交差する別の捕捉部材が前記一対の捕捉部材１４に付け足されたもの、でもよい。
【符号の説明】
【００７１】
１２    ケーシング
１４    捕捉部材
１６    捕捉部材支持軸（捕捉部材支持部）
１８    固定具
２０    入口
２１    出口
２７    通過許容空間
２８    収容空間
４６    被捕捉異物
６１    搬出口
６４    監視カメラ（堆積情報提供部）
６６    レベルセンサ（堆積情報提供部）
１００  熱分解処理部
１０４  熱分解炉
１１０  第１搬送装置
１２０  第２搬送装置
１２４  周回体
１２６  搬送モータ（周回駆動部）
１３０  磁選機（排出物処理装置）
１４０，１７０  異物捕捉装置
【図１】
0006594798.tif 000002
【図２】
0006594798.tif 000003
【図３】
0006594798.tif 000004
【図４】
0006594798.tif 000005
【図５】
0006594798.tif 000006
【図６】
0006594798.tif 000007
【図７】
0006594798.tif 000008
【図８】
0006594798.tif 000009
【図９】
0006594798.tif 000010
【図１０】
0006594798.tif 000011